(57)【要約】【課題】装置構成が複雑になるのを抑制しつつ、多人数の使用者の靴底を効率よく清掃するのに適した靴底清掃装置を提供する。【解決手段】靴底清掃装置Ａ１は、一定方向に長手状の開口部１０１が形成された、靴底を載せるための上壁部１０、を有する箱状の本体ケース１と、上記一定方向に長手状に延び、本体ケース１の内部に収容されるとともに長手方向の両端部が本体ケース１に回転可能に支持された回転軸２と、回転軸２の外周に設けられたブラシ部３と、回転軸２を回転させる回転軸駆動手段と、を備え、ブラシ部３のうち回転軸２よりも上位にある部分が開口部１０１を通じて上壁部１０の上方に臨む。【選択図】図３
2015008886.tif 000002
【特許請求の範囲】
【請求項１】
一定方向に長手状の開口部が形成された、靴底を載せるための上壁部、を有する箱状の本体ケースと、
上記一定方向に長手状に延び、上記本体ケースの内部に収容されるとともに長手方向の両端部が上記本体ケースに回転可能に支持された回転軸と、
上記回転軸の外周に設けられたブラシ部と、
上記回転軸を回転させる回転軸駆動手段と、を備え、
上記ブラシ部のうち上記回転軸よりも上位にある部分が上記開口部を通じて上記上壁部の上方に臨むことを特徴とする、靴底清掃装置。
【請求項２】
上記回転軸は、その中心部において軸方向に延びる軸穴と、各々が上記軸穴に連通するとともに径方向外方に延びて上記回転軸の外周において開放し、軸方向に間隔を隔てた複数の分岐穴と、を有し、
上記軸穴に圧縮空気を供給するための圧縮空気供給手段をさらに備える、請求項１に記載の靴底清掃装置。
【請求項３】
上記本体ケースの内部における上記回転軸の下方に配置された上部開口状の容器体を備える、請求項２に記載の靴底清掃装置。
【請求項４】
上記容器体は、上記本体ケースの長手方向および短手方向の少なくともいずれか一方に移動させることにより上記本体ケースに対して出し入れ可能である、請求項３に記載の靴底清掃装置。
【請求項５】
上記開口部を通じて上記上壁部の上方に洗浄液を噴出させる洗浄液噴出手段をさらに備える、請求項２ないし４のいずれかに記載の靴底清掃装置。
【請求項６】
上記洗浄液噴出手段は、上記圧縮空気供給手段により供給される上記圧縮空気に上記洗浄液を混入するように構成される、請求項５に記載の靴底清掃装置。
【請求項７】
上記洗浄液噴出手段は、上記軸穴に供給される前の上記圧縮空気に上記洗浄液を混入する、請求項６に記載の靴底清掃装置。
【請求項８】
上記開口部の長手方向における寸法は、１００ｃｍ以上である、請求項１ないし７のいずれかに記載の靴底清掃装置。
【請求項９】
上記回転軸は、長手方向の中央部が上記本体ケースに回転可能に支持される、請求項１ないし８のいずれかに記載の靴底清掃装置。
【請求項１０】
上記開口部を塞ぐ蓋体を備える、請求項１ないし９のいずれかに記載の靴底清掃装置。
【請求項１１】
上記上壁部に靴底が載っていることを検出する検出手段と、上記検出手段による検出結果に応じて上記回転軸駆動手段の駆動を制御する制御手段と、をさらに備える、請求項１ないし１０のいずれかに記載の靴底清掃装置。
【請求項１２】
上記ブラシ部は、上記回転軸に対して着脱可能に設けられる、請求項１ないし１１のいずれかに記載の靴底清掃装置。
【発明の詳細な説明】
【技術分野】
【０００１】
本発明は、靴底に付着した泥砂等の汚れを除去するための靴底清掃装置に関する。
【背景技術】
【０００２】
学校、スポーツ施設、動物飼育施設等において、靴底に付着した泥砂等よって建物内の床面が汚れるのを防ぐために、一般に、靴拭き用のマットを建物の入口等に敷いて靴底の汚れを取り除くといった対策が施されている。しかしながら、マットによって靴底の汚れを取り除くには、マットに靴底を擦り付けなければならない。すなわち、マットを用いる場合、靴底の汚れを除去できるかどうかは各人がマットに靴底をきちんと擦りつけるかどうかに委ねられており、必ずしも靴底の汚れが除去されるとは限らない。
【０００３】
これに対し、靴底等の汚れを除去するための洗浄装置が提案されている（たとえば特許文献１を参照）。特許文献１に開示された洗浄装置は、箱状本体と、この箱状本体の上面と平行になるように当該箱状本体内の中段に配置された簀子と、箱状本体内に配置された回転駆動させれるブラシと、当該ブラシに散水するための散水管と、を備えており、たとえば長靴を履いた使用者が一人ずつ箱状本体内の中段の簀子に載った状態で靴底等が洗浄される。
【０００４】
しかしながら、上記特許文献１に開示された洗浄装置では、箱状本体内において散水するので水を供給する必要があり、また洗浄後に排水をしなければならない。したがって、装置構成が比較的に大掛かりで複雑になる。また、上記従来の装置では、使用者が一人ずつ簀子の上に載って靴の清掃を行うため、学校等の比較的に大勢の使用者を想定した施設では使い勝手が悪いものなっていた。
【先行技術文献】
【特許文献】
【０００５】
【特許文献１】特開平６−３１１９６０号公報
【発明の概要】
【発明が解決しようとする課題】
【０００６】
本発明は、このような事情のもとで考え出されたものであって、装置構成が複雑になるのを抑制しつつ、多人数の使用者の靴底を効率よく清掃するのに適した靴底清掃装置を提供することを課題とする。
【課題を解決するための手段】
【０００７】
上記の課題を解決するため、本発明では、次の技術的手段を講じている。
【０００８】
本発明によって提供される靴底清掃装置は、一定方向に長手状の開口部が形成された、靴底を載せるための上壁部、を有する箱状の本体ケースと、上記一定方向に長手状に延び、上記本体ケースの内部に収容されるとともに長手方向の両端部が上記本体ケースに回転可能に支持された回転軸と、上記回転軸の外周に設けられたブラシ部と、上記回転軸を回転させる回転軸駆動手段と、を備え、上記ブラシ部のうち上記回転軸よりも上位にある部分が上記開口部を通じて上記上壁部の上方に臨むことを特徴としている。
【０００９】
本発明の好ましい実施の形態においては、上記回転軸は、その中心部において軸方向に延びる軸穴と、各々が上記軸穴に連通するとともに径方向外方に延びて上記回転軸の外周において開放し、軸方向に間隔を隔てた複数の分岐穴と、を有し、上記軸穴に圧縮空気を供給するための圧縮空気供給手段をさらに備える。
【００１０】
本発明の好ましい実施の形態においては、上記本体ケースの内部における上記回転軸の下方に配置された上部開口状の容器体を備える。
【００１１】
本発明の好ましい実施の形態においては、上記容器体は、上記本体ケースの長手方向および短手方向の少なくともいずれか一方に移動させることにより上記本体ケースに対して出し入れ可能である。
【００１２】
本発明の好ましい実施の形態においては、上記開口部を通じて上記上壁部の上方に洗浄液を噴出させる洗浄液噴出手段をさらに備える。
【００１３】
本発明の好ましい実施の形態においては、上記洗浄液噴出手段は、上記圧縮空気供給手段により供給される上記圧縮空気に上記洗浄液を混入するように構成される。
【００１４】
本発明の好ましい実施の形態においては、上記洗浄液噴出手段は、上記軸穴に供給される前の上記圧縮空気に上記洗浄液を混入する。
【００１５】
本発明の好ましい実施の形態においては、上記開口部の長手方向における寸法は、１００ｃｍ以上である。
【００１６】
本発明の好ましい実施の形態においては、上記回転軸は、長手方向の中央部が上記本体ケースに回転可能に支持される。
【００１７】
本発明の好ましい実施の形態においては、上記開口部を塞ぐ蓋体を備える。
【００１８】
本発明の好ましい実施の形態においては、上記上壁部に靴底が載っていることを検出する検出手段と、上記検出手段による検出結果に応じて上記回転軸駆動手段の駆動を制御する制御手段と、をさらに備える。
【００１９】
本発明の好ましい実施の形態においては、上記ブラシ部は、上記回転軸に対して着脱可能に設けられる。
【００２０】
本発明のその他の特徴および利点は、添付図面を参照して以下に行う詳細な説明によって、より明らかとなろう。
【図面の簡単な説明】
【００２１】
【図１】本発明に係る靴底清掃装置の一例を示す全体斜視図である。
【図２】図１に示す靴底清掃装置の平面である。
【図３】図２のＩＩＩ−ＩＩＩ線に沿う断面図である。
【図４】図２のＩＶ−ＩＶ線に沿う要部断面図である。
【図５】ハウジングの内部構造を示す要部縦断面図である。
【図６】蓋体の取り付け状態を説明するための図３と同様の断面図である。
【図７】本発明に係る靴底清掃装置の他の例を示す図５と同様の断面図である。
【発明を実施するための形態】
【００２２】
以下、本発明の好ましい実施の形態について、図面を参照して具体的に説明する。
【００２３】
図１〜図６は、本発明に係る靴底清掃装置の一例を示している。図１〜図４に表れているように、本実施形態の靴底清掃装置Ａ１は、箱状の本体ケース１と、この本体ケース１の内部に収容された回転軸２と、ブラシ部３と、回転軸駆動手段４と、容器体５と、圧縮空気供給手段６と、検出手段７と、電源部８（図５参照）と、を備え、靴底に付着した泥砂等の汚れを除去するために用いるものである。
【００２４】
本体ケース１は、全体として長手状の略直方体状とされており、長手方向に沿う一対の側壁部１１，１２と、短手方向に沿う一対の側壁部１３，１４と、これら側壁部１１〜１４の上部を塞ぐ上壁部１０とを有する。上壁部１０は、使用者が靴を履いたまま載る部分であり、この上壁部１０には水平方向に長手状の開口部１０１が形成されている。開口部１０１は、上壁部１０の短手方向中央に配され、当該短手方向に一定幅寸法で長手方向に延びている。開口部１０１の寸法は、たとえば、幅寸法が１０ｃｍ程度とされており、長手方向寸法が１００ｃｍ以上、好ましくは１５０ｃｍ以上とされる。本実施形態では上壁部１０の寸法は、たとえば、短手方向の寸法が４０ｃｍ程度とされ、長手方向の寸法が２００ｃｍ程度とされる。詳細は後述するが、上壁部１０には、長手方向に複数人が並んで同時に載ることができる。図１、図２に表れているように、本実施形態において、上壁部１０には、開口部１０１を部分的に覆う３つの仕切片１０２が長手方向に等間隔に設けられている。ここで、開口部１０１の長手方向寸法はたとえば１８０ｃｍ程度とされ、開口部１０１は、仕切片１０２を境界として４つの領域に区画されており、上壁部１０には４人が並んで同時に載ることができる。なお、本実施形態では、上壁部１０は、短手方向における開口部１０１を挟んだ両側近傍の水平部１０３と、当該水平部１０３から短手方向の両端に向かうほど緩やかに下方に変位する傾斜部１０４とを有する。
【００２５】
本体ケース１は、たとえばステンレス鋼などの金属材料によって構成されており、溶接、ねじ止め、折り曲げなどの適宜手段によって所定形状に形成される。本実施形態において、図１における手前側の側壁部１１には、開閉扉１１１が設けられている。詳細は後述するが、開閉扉１１１は、側壁部１１の下方寄りの適所に設けられており、上端部が蝶番によって水平軸周りに回動可能とされている。各開閉扉１１１の外側面には、取っ手１１１Ａが設けられている。詳細は後述するが、開閉扉１１１は、通常は閉じているが、容器体５を本体ケース１に対して出し入れする際に開かれる。なお、上壁部１０や側壁部１１，１２の表面には、必要に応じてゴム板１５（図３参照、他の図では図示略）が貼付される。
【００２６】
図４に表れているように、回転軸２は、開口部１０１が延びる方向と同じ水平方向に長手状に延びており、本体ケース１によって回転可能に支持されている。より詳細には、本体ケース１の長手方向両端部には支柱１６が設けられており、この支柱１６に内蔵された軸受部材（図示略）を介して回転軸２の両端部が回転可能に支持される。また、本実施形態では、本体ケース１の長手方向中央部にも支柱１７が設けられており、この支柱１７によって回転軸２の長手方向の中央部が回転可能に支持される。なお、各支柱１６，１７は、回転軸２の取付や交換等を考慮し、適宜、上下分離可能に構成される。支柱１６，１７は、本体ケース１の強度を高める役割も担っており、たとえば鉄を主成分とする鋼材からなる。なお、本体ケース１の内部には、本体ケース１の強度を高めるために、補強部材１８（図３参照）を適宜設けてもよい。
【００２７】
図３、図４に表れているように、回転軸２には、軸穴２１およびこの軸穴２１に連通する複数の分岐穴２２が形成されている。軸穴２１は、回転軸２の中心部において軸方向に延びている。詳細は後述するが、回転軸２の長手方向一端（図４中右側端）は側壁部１４を貫通して延びており、軸穴２１の長手方向一端（図５中右側端）が圧縮空気供給手段６の供給管６２に通じている。複数の分岐穴２２は、回転軸の周方向４箇所に均等に配され、かつ軸方向に一定の間隔で並んでいる。複数の分岐穴２２は、各々が軸穴２１に連通するとともに径方向外方に延びて回転軸２の外周において開放している。
【００２８】
ブラシ部３は、回転軸２の外周に設けられており、回転軸２の周方向において隣接する分岐穴２２の相互間にそれぞれ分離して複数の部位に配されている。ブラシ部３はまた、回転軸２の軸方向においても適宜分離した複数の部位に設けられている。ブラシ部３は、ベース部３１と、このベース部３１に植設される多数本のブラシ毛３２とを含んで構成されている。ベース部３１は、たとえば回転軸２の外周に形成された取付凹部に嵌入された状態で、図示しないねじ止めや係止爪などの適宜手段によって回転軸２に着脱可能に取り付けられる。このようにして、ブラシ部３は、回転軸２の外周に対して着脱可能に設けられており、ブラシ部３の装着時には、ブラシ毛３２は回転軸２の径方向外方に延びている。
【００２９】
図１、図３に表れているように、ブラシ部３（ブラシ毛３２）のうち回転軸２よりも上位にある部分は、開口部１０１を通じて上壁部１０の上方に臨んでいる。このような構成により、回転軸２が回転すると、ブラシ部３（ブラシ毛３２）が靴底を擦り付け、靴底の汚れ（泥砂等）が取り除かれる。
【００３０】
回転軸駆動手段４は、回転軸２を回転させるためのものであり、図５に表れているように、たとえばモータ４１と、伝達機構４２とを備えて構成されている。モータ４１は、たとえば本体ケース１の長手方向一端側に隣接して設けられたハウジング１Ｂ内に収容されている。伝達機構４２は、たとえば、モータ４１の出力軸４１１に設けられプーリ４２１と、回転軸２の長手方向の一端部外周に設けられたプーリ４２２と、これらプーリ４２１，４２２に掛け回された無端ベルト４２３とを備えている。モータ４１が回転駆動すると、出力軸４１１の回転がプーリ４２１、無端ベルト４２３、プーリ４２２を介して回転軸２に伝達されて当該回転軸２が回転する。なお、本実施形態では、モータ４１の出力軸４１１にプーリ４２１を直接取り付ける場合について説明したが、モータ４１の出力軸４１１に図示しない減速機を取り付け、この減速機の出力軸にプーリ４２１を取り付けてもよい。
【００３１】
図３、図４に表れているように、容器体５は、本体ケース１の内部における回転軸２の下方に配置されている。容器体５は、開口部１０１を通じて落下する落下物を収容するためのものであり、上部開口状の概略直方体形状とされている。本実施形態では、容器体５は、図４における左端の支柱１６と中央の支柱１７との間、および右端の支柱１６と中央の支柱１７との間の各々に１つずつ配置されている。なお、各支柱１６，１７の近傍には、容器体５の上部開口に向けて傾斜するガイド板１９が設けられている。このような構成により、靴底清掃装置Ａ１の使用時に靴底の泥砂が除去されると、当該泥砂は開口部１０１を通じて下方に落下し、容器体５内に収容される。図３に表れているように、容器体５において、本体ケース１の長手方向に沿う側壁外面には取っ手５１が設けられている。
【００３２】
容器体５の下部の４隅近傍には車輪５２が設けられており、容器体５は、前後方向（本体ケース１の短手方向）に移動可能とされている。そして、本体ケース１の開閉扉１１１を開放すると、容器体５は、前後方向に移動させることにより、本体ケース１に対して出し入れ可能である。
【００３３】
圧縮空気供給手段６は、回転軸２の軸穴２１に圧縮空気を供給するためのものであり、圧縮空気供給源６１と、供給管６２とを備える。圧縮空気供給源６１は、たとえばブロアや圧縮機によって構成されており、大気圧に対して所定の高圧状態の圧縮空気を生成するものである。圧縮空気供給源６１は、ハウジング１Ｂ内に収容されており、ハウジング１Ｂには外部と通じる通気口１００Ｂが形成されている。
【００３４】
供給管６２は、回転軸２の軸穴２１への圧縮空気の供給路である。図５に表れているように、供給管６２の端部は、回転軸２の端部に対してＯリング６３などのシール材を介して外嵌されている。これにより、回転軸２が回転しても、圧縮空気供給源６１からの圧縮空気は、供給管６２を介してシール状態を維持したまま回転軸２の軸穴２１に供給される。軸穴２１に供給された圧縮空気は、各分岐穴２２を通じて回転軸２の外部に放出される。
【００３５】
検出手段７は、上壁部１０に靴底が載っていることを検出するものであり、たとえば圧力センサを含んで構成される。図３に表れているように、上壁部１０の上面の適所において、ゴム板１５との間に圧力センサ７１が介在されている。圧力センサ７１によって所定以上の圧力を検出すると、図示しない信号線を通じて検出信号が電源部８に伝送される。たとえば上壁部１０に使用者が靴を履いたまま載ると、使用者の体重によって圧力センサ７１には所定以上の圧力が作用し、上壁部１０に靴底が載っていることが検出される。
【００３６】
なお、検出手段７を構成するセンサとしては、圧力センサ７１に限らず、光センサ等の他の種類のセンサを用いてもよい。赤外線を用いた光センサの場合、開口部１０１を長手方向の両端から挟むように上壁部１０の上方で発光部および受光部を対向させる。この場合、上壁部１０に靴底が載っていないと、発光部から発せられた赤外線は受光部によって検出される。一方、上壁部１０に靴底が載っていると、発光部から発せられた赤外線は、靴に遮られ、受光部によって検出されない。このような受光部における赤外線検出の有無によって、上壁部１０に靴底が載っていることを検出することができる。
【００３７】
電源部８は、回転軸駆動手段４（モータ４１）および圧縮空気供給手段６（圧縮空気供給源６１）に電力を供給するためのものであり、図５に表れているように、ハウジング１Ｂ内に収容されている。電源部８は、たとえばリレーを含む制御回路を備えて構成されており、検出手段７（圧力センサ７１）による検出結果に応じて、モータ４１および圧縮空気供給源６１の駆動を制御する。すなわち、上壁部１０に靴底が載っていることが検出手段７（圧力センサ７１）により検出されると、電源部８は、モータ４１および圧縮空気供給源６１に電力を供給してこれらを駆動する。
【００３８】
なお、図６に表れているように、本実施形態の靴底清掃装置Ａ１は、開口部１０１を塞ぐ蓋体１Ｃを備える。これにより、靴底清掃装置Ａ１の不使用時において、蓋体１Ｃを装着することにより、開口部１０１を通じて本体ケース１内に異物が侵入するのを防止することができる。
【００３９】
次に、上記構成の靴底清掃装置Ａ１の作用について説明する。
【００４０】
本実施形態の靴底清掃装置Ａ１は、たとえば学校等の施設おいて建物の入口に設置して使用される。本実施形態の靴底清掃装置Ａ１において、横長状の本体ケース１内に横長状の回転軸２が設けられており、本体ケース１の上壁部には、回転軸２に対応する長手状の開口部１０１が形成されている。回転軸２の外周にはブラシ部３が設けられており、ブラシ部３の一部が開口部１０１を介して上壁部１０の上方に臨んでいる。このような構成によれば、複数人（本実施形態では４人）の使用者が同時に本体ケース１の上壁部１０に載って靴底の清掃を行うことができる。具体的には、モータ４１の駆動によって回転軸２が回転し、ブラシ部３（ブラシ毛３２）が開口部１０１を通じて靴底を擦り付ける。各使用者は、上壁部１０に載せた靴を前後に動かすだけで、靴底全体に付着した泥砂等の汚れが取り除かれる。そして、靴底の清掃後は、本体ケース１の上壁部１０を踏み台にしてそのまま前へ進むことができる。したがって、靴底清掃装置Ａ１によれば、多人数の靴底を効率よく清掃することができる。
【００４１】
靴底清掃装置Ａ１は、圧縮空気供給手段６を備えている。回転軸２の回転時には、圧縮空気供給源６１が駆動し、圧縮空気供給源６１からの圧縮空気が、供給管６２、回転軸２の軸穴２１および各分岐穴２２を経て、回転軸２の径方向外方に向けて放出される。このような構成によれば、上壁部１０に載っている靴底に対し、ブラシ部３（ブラシ毛３２）で擦りながら圧縮空気が吹き付けられるので、靴底に付着した汚れをより確実に取り除くことができる。
【００４２】
本体ケース１内の回転軸２の下方には、容器体５が配置されている。このため、靴底から取り除かれた泥砂等は、開口部１０１を通じて落下し、容器体５内に収容される。この容器体５は、前後方向に移動させることにより、本体ケース１に対して出し入れ可能である。したがって、このような構成によれば、靴底から除去された泥砂等を容器体５内に確実に回収するとともに、本体ケース１から容易に取り出して廃棄することができる。
【００４３】
回転軸２は、長手方向両端部が本体ケースに設けられた支柱１６によって回転可能に支持されるとともに、長手方向中央部についても本体ケース１に設けられた支柱１７によって回転可能に支持されている。このような構成は、長尺な回転軸２の回転状態を安定させるのに適する。
【００４４】
回転軸２の外周に設けられたブラシ部３は、回転軸２に対して着脱可能とされている。このため、ブラシ部３（ブラシ毛３２）が破損し、あるいは減耗しても、ブラシ部３を容易に交換することができる。
【００４５】
本実施形態では、上壁部１０に靴底が載っていることを検出する検出手段７（圧力センサ７１）を備えており、この圧力センサ７１の検出結果によって、回転軸２駆動用のモータ４１および圧縮空気供給源６１が駆動する。このような構成によれば、靴底清掃装置Ａ１の使用時に限ってモータ４１および圧縮空気供給源６１が駆動するため、電力の浪費を抑制するとともに、取り扱いが容易になる。
【００４６】
図７は、本発明に係る靴底清掃装置の他の例を示している。同図に示された靴底清掃装置Ａ２は、洗浄液噴出手段９が追加的に設けられており、かかる点において上記実施形態と異なっている。ただし、その他の構成は上記実施形態と実質的に同一であるので、上記実施形態と同一または類似の要素には同一の符号を付して説明し、装置全体の詳細な図示説明は省略する。
【００４７】
洗浄液噴出手段９は、開口部１０１を通じて上壁部１０の上方に洗浄液を噴出させるためのものであり、洗浄液タンク９１および洗浄液供給管９２を備えて構成されている。洗浄液タンク９１および洗浄液供給管９２はハウジング１Ｂ内に収容されており、洗浄液タンク９１には洗浄液が充填されている。当該洗浄液としては、洗浄作用を有するもの、除菌作用を有するもの、洗浄作用および除菌作用のいずれをも有するものなど、適宜選択されたものが用いられる。なお、ハウジング１Ｂの上部には洗浄液タンク９１に洗浄液を補充するための開閉蓋１１０Ｂが設けられている。
【００４８】
洗浄液供給管９２は、上端が洗浄液タンク９１の下部に接続され、下端が圧縮空気供給手段６の供給管６２に接続されている。圧縮空気供給源６１の駆動時には、電源部８による制御に基づき、洗浄液タンク９１において図示しない液送り機構により内部の洗浄液が洗浄液供給管９２に供給され、当該洗浄液が液滴として供給管６２に混入される。このようなことから理解されるように、本実施形態において、洗浄液噴出手段９は、圧縮空気供給手段６により供給される圧縮空気に洗浄液を混入するように構成されており、回転軸２の軸穴２１に供給される前の圧縮空気に洗浄液が混入される。
【００４９】
供給管６２に洗浄液が供給されると、当該洗浄液は圧縮空気の流れにのって回転軸２の軸穴２１に送り出され、分岐穴２２を介して霧状となって回転軸２の外部に噴出される。このとき、回転軸２は回転しており、図３から理解されるように、分岐穴２２から噴出する洗浄液は、開口部１０１を通じて、靴底に向けて空気とともに吹き付けられる。本実施形態によれば、洗浄液が靴底に吹き付けられることにより、靴底の汚れをより確実に除去することができる。洗浄液噴出手段９を具備する靴底清掃装置Ａ２は、たとえば衛生管理の厳しい施設等において用いるのに適する。
【００５０】
以上、本発明の具体的な実施形態を説明したが、本発明はこれに限定されるものではなく、発明の思想から逸脱しない範囲内で種々な変更が可能である。本発明に係る靴底清掃装置の各部の具体的な構成や寸法は、上記実施形態に限定されるものではない。
【符号の説明】
【００５１】
Ａ１，Ａ２    靴底清掃装置
１          本体ケース
１０        上壁部
１０１      開口部
２          回転軸
２１        軸穴
２２        分岐穴
３          ブラシ部
３１        ベース部
３２        ブラシ毛
４          回転軸駆動手段
４１        モータ
４１１      出力軸
４２        伝達機構
４２１，４２２    プーリ
４２３      無端ベルト
５          容器体
５１        取っ手
５２        車輪
６          圧縮空気供給手段
６１        圧縮空気供給源
６２        供給管
６３        Ｏリング
７          検出手段
７１        圧力センサ
８          電源部（制御手段）
９          洗浄液噴出手段
９１        洗浄液タンク
９２        洗浄液供給管
【図１】
2015008886.tif 000003
【図２】
2015008886.tif 000004
【図３】
2015008886.tif 000005
【図４】
2015008886.tif 000006
【図５】
2015008886.tif 000007
【図６】
2015008886.tif 000008
【図７】
2015008886.tif 000009